(57)【要約】【課題】車載ハンズフリー装置との間でＨＦＰを同時接続している複数の携帯電話機のうち一の携帯電話機がプライベート通話状態にある状況で他の携帯電話機への音声着信が発生した場合に、ユーザが適切に対処することを可能とする。【解決手段】車載ハンズフリー装置２は、ＨＦＰを同時接続している２台の携帯電話機３ａ，３ｂのうち一方の携帯電話機が３ａがプライベート通話状態にある状況で他方の携帯電話機３ｂへの音声着信が発生した場合に、プライベート通話状態にある携帯電話機３ａをプライベート通話状態からハンズフリー通話状態に切替えるための通話転送スイッチを表示しない一方で、音声着信状態にある携帯電話機３ｂに対して応答するための応答スイッチ及び応答拒否するための応答拒否スイッチを表示する。【選択図】図１
2010136075.tif 000002
【特許請求の範囲】
【請求項１】
ハンズフリー機能付き車載装置との間でハンズフリー通話を実現するためのハンズフリー通話プロトコルを接続している状態で当該ハンズフリー機能付き車載装置との間で音声パスを開通させて当該ハンズフリー機能付き車載装置側の音声入力手段により入力された音声を送話音声として通話相手に送信させ且つ通話相手から受信された音声を当該ハンズフリー機能付き車載装置側の音声出力手段から受話音声として出力させるハンズフリー通話状態及び当該ハンズフリー機能付き車載装置との間で音声パスを閉鎖させて携帯電話機の音声入力手段により入力した音声を送話音声として通話相手に送信し且つ通話相手から受信した音声を当該携帯電話機の音声出力手段から受話音声として出力するハンドセット通話状態のうち何れかを選択可能に構成されている複数の携帯電話機との間で前記ハンズフリー通話プロトコルを同時接続可能な接続手段と、
前記接続手段との間で前記ハンズフリー通話プロトコルを接続しているハンドセット通話状態にある携帯電話機をユーザ操作によりハンズフリー通話状態に切替可能とする通話転送操作手段をユーザに対して提示する機能と、前記接続手段との間で前記ハンズフリー通話プロトコルを接続している音声着信状態にある携帯電話機の音声着信に対してユーザ操作によりハンズフリー通話で応答可能とする応答操作手段をユーザに対して提示する機能とを有する制御手段とを備え、
前記制御手段は、前記接続手段との間で前記ハンズフリー通話プロトコルを接続している一の携帯電話機が前記ハンドセット通話状態にあり且つ前記接続手段との間で前記ハンズフリー通話プロトコルを接続している他の携帯電話機が前記音声着信状態にある場合に、前記一の携帯電話機に係る前記通話転送操作手段をユーザに対して提示することなく、前記他の携帯電話機に係る前記応答操作手段をユーザに対して提示することを特徴とするハンズフリー機能付き車載装置。
【請求項２】
請求項１に記載したハンズフリー機能付き車載装置において、
前記制御手段は、前記接続手段との間で前記ハンズフリー通話プロトコルを接続している音声着信状態にある携帯電話機の音声着信に対してユーザ操作により応答拒否可能とする応答拒否操作手段をユーザに対して提示する機能をも有し、前記接続手段との間で前記ハンズフリー通話プロトコルを接続している一の携帯電話機が前記ハンドセット通話状態にあり且つ前記接続手段との間で前記ハンズフリー通話プロトコルを接続している他の携帯電話機が前記音声着信状態にある場合に、前記一の携帯電話機に係る前記通話転送操作手段をユーザに対して提示することなく、前記他の携帯電話機に係る前記応答操作手段及び前記応答拒否操作手段をユーザに対して提示することを特徴とするハンズフリー機能付き車載装置。
【発明の詳細な説明】
【技術分野】
【０００１】
本発明は、ハンズフリー通話を実現するためのハンズフリー通話プロトコルを複数の携帯電話機との間で同時接続可能なハンズフリー機能付き車載装置に関する。
【背景技術】
【０００２】
Ｂｌｕｅｔｏｏｔｈ（登録商標）（以下、ＢＴと称する）通信機能を有する車載ハンズフリー装置が搭載されている車両の車室内にＢＴ通信機能を有する携帯電話機が持込まれ、それら車載ハンズフリー装置と携帯電話機とがＢＴ通信可能な状態になると、両者の間でＢＴの通信規格により定義されているハンズフリー通話を実現するためのハンズフリー・プロファイル（ＨＦＰ）を接続する構成が開示されている。そして、近年では、車載ハンズフリー装置と複数の携帯電話機との間でＨＦＰを同時接続（所謂マルチ接続）する構成が開示されている（例えば特許文献１参照）。
【特許文献１】特開２００３−２１８９９６号公報
【発明の開示】
【発明が解決しようとする課題】
【０００３】
このような車載ハンズフリー装置と複数の携帯電話機との間でＨＦＰを同時接続する構成では、車載ハンズフリー装置との間でＨＦＰを同時接続している複数の携帯電話機のうち一の携帯電話機がハンズフリー通話状態にある状況で他の携帯電話機への音声着信が発生する場合もあり得る。そこで、出願人は一の携帯電話機がハンズフリー通話状態にある状況で他の携帯電話機への音声着信が発生した場合に、ハンズフリー通話状態にある一の携帯電話機を通話保留状態に切替えた後に音声着信した他の携帯電話機をハンズフリー通話状態に切替える方法として特願２００８−０６５８７４を出願した。
【０００４】
ところで、車載ハンズフリー装置と携帯電話機との間でＨＦＰを接続している場合では、ユーザが通話する形態としては車載ハンズフリー装置側のマイクロホン及びスピーカを使用して通話するハンズフリー通話状態と携帯電話機のマイクロホン及びスピーカを使用して通話するハンドセット通話状態との２つの形態があり得る。ユーザは通話内容（特に通話相手からの受話音声）が同乗者に聞かれても支障がない場合にはハンズフリー通話を選択し、一方、通話内容が同乗者に聞かれてしまうと支障がある場合にはハンドセット通話を選択すると想定される。
【０００５】
しかしながら、上記した特願２００８−０６５８７４は、一の携帯電話機がハンズフリー通話状態にある状況で他の携帯電話機への音声着信が発生した場合については言及されているが、一の携帯電話機がハンドセット通話状態にある状況で他の携帯電話機への音声着信が発生した場合については何ら言及されていない。このような事情から、車載ハンズフリー装置との間でＨＦＰを同時接続している複数の携帯電話機のうち一の携帯電話機がハンドセット通話状態にある状況で他の携帯電話機への音声着信が発生した場合にもユーザが適切に対処することを可能とする方法が要望されている。その一つとして、車載ハンズフリー装置において、ハンドセット通話状態にある一の携帯電話機と音声着信した他の携帯電話機との両方に対してユーザ操作を許可する方法が想定されるが、このような複数の携帯電話機に対してユーザ操作を許可する方法ではユーザにとっての操作が複雑化することになるので、好ましくないという問題がある。
【０００６】
本発明は、上記した事情に鑑みてなされたものであり、その目的は、ハンズフリー機能付き車載装置との間でＨＦＰを同時接続している複数の携帯電話機のうち一の携帯電話機がハンドセット通話状態にある状況で他の携帯電話機への音声着信が発生した場合に、ユーザが適切に対処することを可能とするハンズフリー機能付き車載装置を提供することにある。
【課題を解決するための手段】
【０００７】
請求項１に記載した発明によれば、制御手段は、接続手段との間でハンズフリー通話プロトコルを接続している携帯電話機がハンドセット通話状態にあると、そのハンドセット通話状態にある携帯電話機をユーザ操作によりハンズフリー通話状態に切替可能とする通話転送操作手段をユーザに対して提示する機能と、接続手段との間でハンズフリー通話プロトコルを接続している携帯電話機が音声着信状態にあると、その音声着信状態にある携帯電話機の音声着信に対してユーザ操作によりハンズフリー通話で応答可能とする応答操作手段をユーザに対して提示する機能とを有する。そして、制御手段は、接続手段との間でハンズフリー通話プロトコルを接続している一の携帯電話機がハンドセット通話状態にあり且つ接続手段との間でハンズフリー通話プロトコルを接続している他の携帯電話機が音声着信状態にあると、一の携帯電話機に係る通話状態切替操作手段をユーザに対して提示することなく、他の携帯電話機に係る応答切替操作手段をユーザに対して提示する。
【０００８】
これにより、ユーザは、ハンドセット通話状態にある一の携帯電話機に対しては何ら操作を行うことがなく、一方、音声着信状態にある他の携帯電話機に対しては、音声着信状態にある他の携帯電話機に係る応答操作手段を操作して他の携帯電話機への音声着信に対して応答して他の携帯電話機における通話をハンズフリー通話で行うか否かを選択することができる。このようにハンドセット通話状態にある一の携帯電話機の操作に制限を持たせる一方で音声着信状態にある他の携帯電話機の操作に制限を持たせないことで適切に対処することができる。
【０００９】
請求項２に記載した発明によれば、制御手段は、接続手段との間でハンズフリー通話プロトコルを接続している携帯電話機が音声着信状態にあると、その音声着信状態にある携帯電話機の音声着信に対してユーザ操作により応答拒否可能とする応答拒否操作手段をユーザに対して提示する機能をも有する。そして、制御手段は、接続手段との間でハンズフリー通話プロトコルを接続している一の携帯電話機がハンドセット通話状態にあり且つ接続手段との間でハンズフリー通話プロトコルを接続している他の携帯電話機が音声着信状態にあると、一の携帯電話機に係る通話状態切替操作手段をユーザに対して提示することなく、他の携帯電話機に係る応答切替操作手段及び応答拒否切替操作手段をユーザに対して提示する。
【００１０】
これにより、ユーザは、音声着信状態にある他の携帯電話機における通話をハンズフリー通話で行うか否かを選択することができるだけでなく、音声着信状態にある他の携帯電話機に係る応答拒否操作手段を操作して他の携帯電話機への音声着信に対して応答拒否するか否かをも選択することができる。
【発明を実施するための最良の形態】
【００１１】
以下、本発明の一実施形態について、図面を参照して説明する。尚、ここでは、Ｂｌｕｅｔｏｏｔｈ（登録商標）（以下、ＢＴと称する）通信機能を有するＢＴ対応の車載ハンズフリー装置（本発明でいうハンズフリー機能付き車載装置）が搭載されている車両の車室内に、ＢＴ通信機能を有するＢＴ対応の２台の携帯電話機が車室内に持込まれ、車載ハンズフリー装置と２台の携帯電話機とがＢＴ通信可能な状態にある場合を説明する。
【００１２】
車載ハンズフリーシステム１は、車載ハンズフリー装置２と２台の携帯電話機３ａ，３ｂとから構成される。車載ハンズフリー装置２は、制御部４（本発明でいう制御手段）と、ＢＴインタフェース（ＩＦ）部５（本発明でいう接続手段）と、通話音声処理部６と、記憶部７と、表示制御部８と、タッチ操作入力部９とを備えて構成されている。
【００１３】
制御部４は、周知のマイクロコンピュータからなるＣＰＵ、ＲＡＭ、ＲＯＭ及びＩ／Ｏバス等を有し、車載ハンズフリー装置２の通信動作やデータ管理動作等の動作全般を制御する。ＢＴインタフェース部５は、携帯電話機３ａ，３ｂとの間でＢＴ通信を行う機能を有し、ＢＴの通信規格により定義されているハンズフリー通話を実現するためのハンズフリー・プロファイル（ＨＦＰ）（本発明でいうハンズフリー通話プロトコル）に対応しており、携帯電話機３ａ，３ｂとの間でＨＦＰを同時接続（所謂マルチ接続）可能に構成されている。尚、ＢＴインタフェース部５は、上記したＨＦＰの他に、電話帳データや発信履歴データや着信履歴データの転送を実現するためのフォンブック・アクセス・プロファイル（ＰＢＡＰ）、各種データの転送を実現するためのオブジェクト・プッシュ・プロファイル（ＯＰＰ）及びメール転送を実現するためのメッセージ・アクセス・プロファイル（ＭＡＰ）等にも対応している。尚、これらプロファイルは、機能毎に定義された通信プロトコルを意味している。
【００１４】
通話音声処理部６には車室内にあって例えばハンドルの近傍等のユーザが発した音声を集音し易い部位に配置されているマイクロホン１０（本発明でいうハンズフリー機能付き車載装置側の音声入力手段）が接続されていると共に、車載ハンズフリー装置２の外部に配置されているオーディオアンプ１１が接続されており、オーディオアンプ１１には２個のスピーカ１２，１３（本発明でいうハンズフリー機能付き車載装置側の音声出力手段）が接続されている。スピーカ１２，１３は車載ハンズフリー装置２を搭載している車両の全長方向を対称中心して左右対称に配置されており、スピーカ１２は例えば運転席ドアに配置され、スピーカ１３は例えば助手席ドアに配置されている。又、オーディオアンプ１１にはチューナーデッキ１４も接続されており、オーディオアンプ１１はチューナーデッキ１４が例えば音楽用記録媒体から再生した楽曲音やラジオ放送局から受信したラジオ番組を当該チューナーデッキ１４から入力すると、それら入力した楽曲音やラジオ番組を増幅してスピーカ１２，１３から出力させる。
【００１５】
記憶部７は、各種データを記憶可能に構成されており、例えば電話番号と登録名との対応を表す電話帳データ、車載ハンズフリー装置２からの発信動作又は当該車載ハンズフリー装置２との間でＨＦＰを接続している携帯電話機３ａ，３ｂからの発信動作に係る発信時刻と発信電話番号との対応を表す発信履歴データ、車載ハンズフリー装置２との間でＨＦＰを接続している携帯電話機３ａ，３ｂの着信動作に係る着信時刻と着信電話番号との対応を表す着信履歴データ等を記憶可能に構成されている。
【００１６】
ディスプレイ装置１５は、各種表示画面を表示する表示装置１６と、表示画面上にタッチスイッチを形成するタッチ操作入力装置１７とを備えて構成されている。表示制御部８は、制御部４から表示指令通知を入力すると、その入力した表示指令通知に基づいてディスプレイ装置１５における表示装置１６の表示動作を制御する。タッチ操作入力部９は、ユーザが表示画面上に形成されているタッチスイッチを操作したことに応じてタッチ操作入力装置１７から操作検出通知を入力すると、その入力した操作検出通知を制御部４に出力し、制御部４は、タッチ操作入力部９から入力した操作検出通知を解析する。
【００１７】
携帯電話機３ａ，３ｂは、周知の電話機能については同じ構成であり、自機の動作全般を制御する制御部、通信網１８との間で電話通信を行う電話通信部、ＢＴ通信を行うＢＴインタフェース部、ユーザが操作する各種キーが配列されてなるキー入力部、例えば電話番号と登録名との対応を表す電話帳データ等の各種データを記憶する記憶部、各種表示画面を表示する表示部、ユーザが発した音声を入力するマイクロホン（本発明でいう携帯電話機の音声入力手段）及び通話相手から受信した音声を受話音声として出力するスピーカ（本発明でいう携帯電話機の音声出力手段）を備えて構成されている。この場合、携帯電話機３ａ，３ｂのＢＴインタフェース部は、車載ハンズフリー装置２との間でＢＴ通信を行う機能を有し、車載ハンズフリー装置２のＢＴインタフェース部５と同様にしてＨＦＰに対応しており、車載ハンズフリー装置２との間でＨＦＰを接続可能に構成されている。
【００１８】
ここで、車載ハンズフリー装置２と携帯電話機３（携帯電話機３ａ，３ｂのうち何れか）とが両者の間でＨＦＰを接続している場合に、通信網１８から携帯電話機３への音声着信が発生した場合を説明する。ここでいう通信網１８は携帯電話基地局や基地局制御装置等の周知の携帯電話通信サービスを提供する設備を含むものである。
【００１９】
携帯電話機３は、車載ハンズフリー装置２との間でＨＦＰを接続している場合に、通信網１８から音声着信が発生した旨を検知すると、音声着信した旨を示す音声着信通知を車載ハンズフリー装置２に送信する。この場合、音声着信した携帯電話機３は、自機を識別する識別情報（例えば自機に登録されている電話番号等）を含む音声着信通知を車載ハンズフリー装置２に送信し、通信網１８から通話相手となり得る発信元電話番号を受信していれば、その通信網１８から受信した発信元電話番号をも含む音声着信通知を車載ハンズフリー装置２に送信する。又、音声着信した携帯電話機３は、自機がインバンドリングトーンに対応している携帯電話機であれば、自機に登録されている着信音をも車載ハンズフリー装置２に送信する。
【００２０】
車載ハンズフリー装置２において、制御部４は、携帯電話機３から音声着信通知をＢＴインタフェース部５により受信すると、携帯電話機３から着信音を受信していなければ、自装置に登録されている着信音をスピーカ１２，１３から出力させることで携帯電話機３が音声着信した旨をユーザに対して通知し、携帯電話機３から着信音を受信していれば、その受信した着信音（携帯電話機３に登録されている着信音）をスピーカ１２，１３から出力させる。又、制御部４は、携帯電話機３が音声着信した旨を示す着信中通知画面（詳しくは後述する）を表示装置１６に表示させることでも携帯電話機３が音声着信した旨をユーザに対して通知する。
【００２１】
これにより、ユーザは、スピーカ１２，１３から出力される着信音を聞いたり表示装置１６に表示される着信中通知画面を見たりすることで携帯電話機３が音声着信した旨を認識可能となる。そして、ユーザは、携帯電話機３が音声着信した旨を認識すると、車載ハンズフリー装置２を操作することで携帯電話機３への音声着信に対してハンズフリー通話で応答するか応答拒否するかを選択可能であり、携帯電話機３を操作することで当該携帯電話機３への音声着信に対してプライベート通話（本発明でいうハンドセット通話）で応答するか応答拒否するかを選択可能である。ここでいうハンズフリー通話とは携帯電話機３と車載ハンズフリー装置２との間で音声パスが開通されて音声が送受信されることで車載ハンズフリー装置２に接続されているマイクロホン１０及びスピーカ１２，１３を使用して通話することであり、一方、プライベート通話とは携帯電話機３と車載ハンズフリー装置２との間で音声パスが閉鎖されて音声が送受信されないことで携帯電話機３のマイクロホン及びスピーカを使用して通話することである。
【００２２】
次に、上記した構成の作用について、図２乃至図８を参照して説明する。図２及び図３は、車載ハンズフリー装置２が行う処理をフローチャートにより示している。車載ハンズフリー装置２において、制御部４は、通信網１８から携帯電話機３への音声着信が発生したか否かを判定する音声着信検知処理を開始すると、通信網１８から携帯電話機３への音声着信が発生したか否かを判定する（ステップＳ１）。ここで、制御部４は、通信網１８から携帯電話機３への音声着信が発生していない旨を判定すると（ステップＳ１にて「ＮＯ」）、音声着信検知処理を終了して他の処理（例えばメイン処理）にリターンする。
【００２３】
さて、制御部４は、通信網１８から携帯電話機３への音声着信が発生した旨を判定すると（ステップＳ１にて「ＹＥＳ」）、その携帯電話機３が音声着信した時点で別のプライベート通話中の携帯電話機３があるか否かを判定する（ステップＳ２）。そして、制御部４は、別のプライベート通話中の携帯電話機３がない旨を判定すると（ステップＳ２にて「ＮＯ」）、携帯電話機３が音声着信するまでは待受画面を表示させているので、待受画面から携帯電話機３が音声着信した旨を示す着信中通知画面に切替え、着信中通知画面を表示装置１６に表示させる（ステップＳ３）。
【００２４】
具体的には、携帯電話機３ａ，３ｂとの間でＨＦＰを接続しており、一方の携帯電話機３ａが待受状態にあるときに、通信網１８から他方の携帯電話機３ｂに「０９０＊＊＊＊＊＊０１」（＊は電話番号を構成する任意の数字）を発信元電話番号とする音声着信が発生した場合を説明すると、制御部４は、音声着信した携帯電話機３ｂから音声着信通知をＢＴインタフェース部５により受信すると、図４に示す着信中通知画面１９を表示装置１６に表示させる。図４は、音声着信した携帯電話機３ｂから発信元電話番号として「０９０＊＊＊＊＊＊０１」を受信し、その携帯電話機３ｂから受信した発信元電話番号に対応する登録名として「織田○○」を電話帳データとして記憶している場合を示している。
【００２５】
制御部４は、着信中通知画面１９においては、音声着信中にある旨を示す「着信中」を状態表示領域１９ａに表示させ、発信元の情報である「０９０＊＊＊＊＊＊０１」及び「織田○○」を発信元情報表示領域１９ｂに表示させる。又、制御部４は、ユーザが音声着信に対して応答するために操作可能な応答スイッチ１９ｃ、ユーザが音声着信に対して応答拒否するために操作可能な応答拒否スイッチ１９ｄ、ユーザがスピーカ１２，１３から出力される着信音の音量を増大させるために操作可能なアップスイッチ１９ｅ及びユーザがスピーカ１２，１３から出力される着信音の音量を低下させるために操作可能なダウンスイッチ１９ｆを形成して表示させる。更に、制御部４は、音声着信した携帯電話機３ｂから受信した当該携帯電話機３ｂの電池の残容量を表す残容量アイコンや電波の受信状態を表す電波受信状態アイコンを電話機状態表示領域１９ｇに表示させる。
【００２６】
このように携帯電話機３ｂが音声着信状態にある場合には、ユーザは、着信中通知画面１９の応答スイッチ１９ｃを操作することで携帯電話機３ｂの音声着信に対してハンズフリー通話で応答可能であり、着信中通知画面１９の応答拒否スイッチ１９ｄを操作することで携帯電話機３ｂの音声着信に対して応答拒否可能であり、携帯電話機３ｂの応答キーを操作することで携帯電話機３ｂの音声着信に対してプライベート通話で応答可能であり、携帯電話機３ｂの応答拒否キーを操作することで携帯電話機３ｂの音声着信に対して応答拒否可能である。
【００２７】
制御部４は、着信中通知画面を表示装置１６に表示させた後では、ユーザが応答スイッチ１９ｃ及び応答拒否スイッチ１９ｄのうち何れを操作したか否かを判定し（ステップＳ４，Ｓ５）、携帯電話機３ｂから状態通知を入力することでユーザが携帯電話機３ｂの応答キー及び携帯電話機３ｂの応答拒否キーのうち何れを操作したか否かを判定する（ステップＳ６，Ｓ７）。
【００２８】
ここで、制御部４は、ユーザが着信中通知画面１９の応答スイッチ１９ｃを操作した旨を判定すると（ステップＳ４にて「ＹＥＳ」）、音声着信に対する応答動作を携帯電話機３ｂに行わせ、ＢＴインタフェース部５と携帯電話機３ｂとの間で音声パスを開通させ、携帯電話機３ｂが音声着信状態からハンズフリー通話状態に移行した後に、図４に示した着信中通知画面１９から図５に示すハンズフリー通話中にある旨を示すハンズフリー通話中通知画面２０に切替え、ハンズフリー通話中通知画面２０を表示装置１６に表示させる（ステップＳ８）。
【００２９】
制御部４は、ハンズフリー通話中通知画面２０においては、ハンズフリー通話状態にある旨を示す「ハンズフリー通話中」を状態表示領域２０ａに表示させ、発信元の情報である「０９０＊＊＊＊＊＊０１」及び「織田○○」を発信元情報表示領域２０ｂに表示させる。又、制御部４は、ユーザがハンズフリー通話を保留するために操作可能な通話保留スイッチ２０ｃ、ユーザがハンズフリー通話を切断するために操作可能な通話切断スイッチ２０ｄ、ユーザがハンズフリー通話をプライベート通話に切替える（転送する）ために操作可能な通話転送スイッチ２０ｅ、ユーザがスピーカ１２，１３から出力される受話音声の音量を増大させるために操作可能なアップスイッチ２０ｆ及びユーザがスピーカ１２，１３から出力される受話音声の音量を低下させるために操作可能なダウンスイッチ２０ｇを形成して表示させる。更に、制御部４は、この場合も、携帯電話機３ｂから受信した当該携帯電話機３ａの電池の残容量を表す残容量アイコンや電波の受信状態を表す電波受信状態アイコンを電話機状態表示領域２０ｈに表示させる。
【００３０】
一方、制御部４は、ユーザが着信中通知画面１９の応答拒否スイッチ１９ｄを操作した旨を判定すると（ステップＳ５にて「ＹＥＳ」）、音声着信に対する応答拒否動作を携帯電話機３ｂに行わせ、携帯電話機３ｂが待受状態に移行した後に、図４に示した着信中通知画面１９から待受中にある旨を示す待受画面に切替え、待受画面を表示装置１６に表示させる（ステップＳ９）。
【００３１】
又、制御部４は、携帯電話機３ｂから状態通知を入力することでユーザが携帯電話機３ｂの応答キーを操作した旨を判定すると（ステップＳ６にて「ＹＥＳ」）、音声着信に対する応答動作を携帯電話機３ｂに行わせ、ＢＴインタフェース部５と携帯電話機３ｂとの間で音声パスを開通させることなく、携帯電話機３ｂが音声着信状態からプライベート通話状態に移行した後に、図４に示した着信中通知画面１９から図６に示すプライベート通話中にある旨を示すプライベート通話中通知画面に切替え、プライベート通話中通知画面を表示装置１６に表示させる（ステップＳ１０）。
【００３２】
制御部４は、プライベート通話中通知画面２１においては、プライベート通話中にある旨を示す「プライベート通話中」を状態表示領域２１ａに表示させ、発信元の情報である「０９０＊＊＊＊＊＊０１」及び「織田○○」を発信元情報表示領域２１ｂに表示させる。又、制御部４は、ユーザがプライベート通話をハンズフリー通話に切替えるために操作可能な通話転送スイッチ２１ｃを形成して表示させる。更に、制御部４は、この場合も、携帯電話機３ｂから受信した当該携帯電話機３ｂの電池の残容量を表す残容量アイコンや電波の受信状態を表す電波受信状態アイコンを電話機状態表示領域２１ｄに表示させる。
【００３３】
一方、制御部４は、携帯電話機３ｂから状態通知を入力することでユーザが携帯電話機３ｂの応答拒否キーを操作した旨を判定すると（ステップＳ７にて「ＹＥＳ」）、音声着信に対する応答拒否動作を携帯電話機３ｂに行わせ、携帯電話機３ｂが待受状態に移行した後に、図４に示した着信中通知画面１９から待受中にある旨を示す待受画面に切替え、待受画面を表示装置１６に表示させる（ステップＳ１１）。
【００３４】
これに対して、制御部４は、通信網１８から携帯電話機３への音声着信が発生したときに別のプライベート通話中の携帯電話機３がある旨を判定すると（ステップＳ２にて「ＹＥＳ」）、携帯電話機３が音声着信するまではプライベート通話中通知画面を表示させているので、プライベート通話中通知画面から携帯電話機３がプライベート通話中にあるときに別の携帯電話機３が音声着信した旨を示す着信中／プライベート通話中通知画面に切替え、着信中／プライベート通話中通知画面を表示装置１６に表示させる（ステップＳ１２）。
【００３５】
具体的には、携帯電話機３ａ，３ｂとの間でＨＦＰを接続しており、一方の携帯電話機３ａがプライベート通話状態にあるときに、通信網１８から他方の携帯電話機３ｂに「０９０＊＊＊＊＊＊０２」（＊は電話番号を構成する任意の数字）を発信元電話番号とする音声着信が発生した場合を説明すると、制御部４は、音声着信した携帯電話機３ｂから音声着信通知をＢＴインタフェース部５により受信すると、図７に示す着信中／プライベート通話中通知画面２２を表示装置１６に表示させる。図７は、音声着信した携帯電話機３ｂから発信元電話番号として「０９０＊＊＊＊＊＊０２」を受信し、その携帯電話機３ｂから受信した発信元電話番号に対応する登録名として「徳川○○」を電話帳データとして記憶している場合を示している。
【００３６】
制御部４は、着信中／プライベート通話中通知画面２２においては、着信中／プライベート通話中にある旨を示す「着信中／プライベート通話中」を状態表示領域２２ａに表示させ、プライベート通話状態にある発信元の情報である「０９０＊＊＊＊＊＊０１」及び「織田○○」を発信元情報表示領域２２ｂに表示させ、音声着信状態にある発信元の情報である「０９０＊＊＊＊＊＊０２」及び「徳川○○」を発信元情報表示領域２２ｃに表示させる。又、制御部４は、ユーザが音声着信に対して応答するために操作可能な応答スイッチ２２ｄ（本発明でいう応答操作手段）、ユーザが音声着信に対して応答拒否するために操作可能な応答拒否スイッチ２２ｅ（本発明でいう応答拒否操作手段）、ユーザがスピーカ１２，１３から出力される着信音の音量を増大させるために操作可能なアップスイッチ２２ｆ及びユーザがスピーカ１２，１３から出力される着信音の音量を低下させるために操作可能なダウンスイッチ２２ｇを形成して表示させる。更に、制御部４は、携帯電話機３ａから受信した当該携帯電話機３ａの電池の残容量を表す残容量アイコンや電波の受信状態を表す電波受信状態アイコンを電話機状態表示領域２２ｈに表示させ、携帯電話機３ｂから受信した当該携帯電話機３ｂの電池の残容量を表す残容量アイコンや電波の受信状態を表す電波受信状態アイコンを電話機状態表示領域２２ｉに表示させる。尚、制御部４は、着信中／プライベート通話中通知画面２２においては、ユーザがプライベート通話をハンズフリー通話に切替えるために操作可能な通話転送スイッチを形成しない。
【００３７】
このように携帯電話機３ａがプライベート通話状態にあるときに携帯電話機３ｂが音声着信状態にある場合には、ユーザは、着信中／プライベート通話中通知画面２２の応答スイッチ２２ｄを操作することで携帯電話機３ｂの音声着信に対してハンズフリー通話で応答可能であり、着信中／プライベート通話中通知画面２２の応答拒否スイッチ２２ｅを操作することで携帯電話機３ｂの音声着信に対して応答拒否可能であり、携帯電話機３ｂの応答キーを操作することで携帯電話機３ｂの音声着信に対してプライベート通話で応答可能であり、携帯電話機３ｂの応答拒否キーを操作することで携帯電話機３ｂの音声着信に対して応答拒否可能である。その一方で、ユーザがプライベート通話をハンズフリー通話に切替えるために操作可能な通話転送スイッチを形成しないので、ユーザは、プライベート通話状態にある携帯電話機３ａに対してはプライベート通話をハンズフリー通話に切替不可能である。つまり、ユーザは、着信中／プライベート通話中通知画面２２において音声着信状態にある携帯電話機３ｂに対して何らかの操作を行うことが可能であるがプライベート通話状態にある携帯電話機３ａに対して何らかの操作を行うことが不可能である。
【００３８】
制御部４は、ユーザが着信中／プライベート通話中通知画面を表示装置１６に表示させた後では、ユーザが応答スイッチ２２ｅ、応答拒否スイッチ２２ｆのうち何れを操作したか否かを判定し（ステップＳ１３，Ｓ１４）、携帯電話機３ｂから状態通知を入力することでユーザが携帯電話機３ｂの応答キー及び携帯電話機３ｂの応答拒否キーのうち何れを操作したか否かを判定する（ステップＳ１５，Ｓ１６）。
【００３９】
ここで、制御部４は、ユーザが着信中／プライベート通話中通知画面２２の応答スイッチ２２ｄを操作した旨を判定すると（ステップＳ１３にて「ＹＥＳ」）、音声着信に対する応答動作を携帯電話機３ｂに行わせ、ＢＴインタフェース部５と携帯電話機３ｂとの間で音声パスを開通させ、携帯電話機３ｂが音声着信状態からハンズフリー通話状態に移行した後に、図７に示した着信中／プライベート通話中通知画面２２から図８に示すハンズフリー通話中通知画面２０に切替え、携帯電話機３ｂがハンズフリー通話中にある旨を示すハンズフリー通話中通知画面２３を表示装置１６に表示させる（ステップＳ１７）。図８に示すハンズフリー通話中通知画面２３における各表示領域２３ａ、２３ｂ，２３ｈ及び各スイッチ２３ｃ〜２３ｇは図５に示したハンズフリー通話中２０における各表示領域２０ａ、２０ｂ，２０ｈ及び各スイッチ２０ｃ〜２０ｇと同等の機能を有する。
【００４０】
一方、制御部４は、ユーザが着信中／プライベート通話中通知画面２２の応答拒否スイッチ２２ｅを操作した旨を判定すると（ステップＳ１４にて「ＹＥＳ」）、音声着信に対する応答拒否動作を携帯電話機３ｂに行わせ、携帯電話機３ｂが待受状態に移行した後に、図７に示した着信中／プライベート通話中通知画面２２から図６に示したプライベート通話中通知画面２１に切替え、携帯電話機３ａがプライベート通話中にある旨を示すプライベート通話中通知画面（携帯電話機３ｂが音声着信する直前の表示画面）を表示装置１６に表示させる（ステップＳ１８）。
【００４１】
又、制御部４は、携帯電話機３ｂから状態通知を入力することでユーザが携帯電話機３ｂの応答キーを操作した旨を判定すると（ステップＳ１５にて「ＹＥＳ」）、音声着信に対する応答動作を携帯電話機３ｂに行わせ、ＢＴインタフェース部５と携帯電話機３ｂとの間で音声パスを開通させることなく、携帯電話機３ｂが音声着信状態からプライベート通話状態に移行した後に、図７に示した着信中／プライベート通話中通知画面２２から２台の携帯電話機３ａ，３ｂがプライベート通話中にある旨を示すプライベート通話中通知画面に切替え、プライベート通話中通知画面を表示装置１６に表示させる（ステップＳ１９）。
【００４２】
一方、制御部４は、携帯電話機３ｂから状態通知を入力することでユーザが携帯電話機３ｂの応答拒否キーを操作した旨を判定すると（ステップＳ１６にて「ＹＥＳ」）、音声着信に対する応答拒否動作を携帯電話機３ｂに行わせ、携帯電話機３ｂが待受状態に移行した後に、図７に示した着信中／プライベート通話中通知画面２２から図６に示したプライベート通話中通知画面２１に切替え、携帯電話機３ａがプライベート通話中にある旨を示すプライベート通話中通知画面（携帯電話機３ｂが音声着信する直前の表示画面）を表示装置１６に表示させる（ステップＳ２０）。
【００４３】
以上に説明したように本実施形態によれば、車載ハンズフリー装置２において、ＨＦＰを同時接続している２台の携帯電話機３ａ，３ｂのうち一方の携帯電話機が３ａがプライベート通話状態にある状況で他方の携帯電話機３ｂへの音声着信が発生した場合に、プライベート通話状態にある携帯電話機３ａをプライベート通話状態からハンズフリー通話状態に切替えるための通話転送スイッチを表示しない一方で、音声着信状態にある携帯電話機３ｂに対して応答するための応答スイッチ２２ｅ及び応答拒否するための応答拒否スイッチ２２ｆを表示するように構成した。
【００４４】
これにより、ユーザは、プライベート通話状態にある携帯電話機３ａに対しては何ら操作を行うことなく、音声着信状態にある携帯電話機３ｂに対しては、応答スイッチ２２ｄを操作して音声着信状態にある携帯電話機３ｂに対して応答して携帯電話機３ｂにおける通話をハンズフリー通話で行うか否か、応答拒否スイッチ２２ｅを操作して音声着信状態にある携帯電話機３ｂに対して応答拒否するか否かを選択することができる。このようにプライベート通話状態にある携帯電話機３ａの操作に制限を持たせる一方で音声着信状態にある携帯電話機３ｂの操作に対して制限を持たせることなく適切に対処することができる。
【００４５】
本発明は、上記した実施形態にのみ限定されるものではなく、以下のように変形又は拡張することができる。
車載ハンズフリー装置の機能が例えば車載ナビゲーション装置等の別の車載装置に組み込まれていても良い。
車載ハンズフリー装置との間でＨＦＰを接続している携帯電話機の台数が３台以上であっても良く、その場合、２台以上の携帯電話機がプライベート通話状態にあるときに通信網から１台の携帯電話機への音声着信が発生した場合に、プライベート通話状態にある２台以上の携帯電話機に係る通話転送操作手段をユーザに対して提示することなく、音声着信状態にある１台の携帯電話機に係る応答操作手段及び応答拒否操作手段をユーザに対して提示するようにしても良い。
【００４６】
プライベート通話をハンズフリー通話に切替えるために操作可能な通話転送スイッチに相当する通話転送操作手段、音声着信に対して応答するために操作可能な応答スイッチに相当する応答操作手段及び音声着信に対して応答拒否するために操作可能な応答拒否スイッチに相当する応答拒否操作手段がディスプレイ装置にタッチスイッチとして形成される構成に限らず、それら操作手段が例えばハンドルの近傍や運転席と助手席との間に配置された機械的なスイッチから構成されていても良い。その場合、それら操作手段の操作手順を表示装置に表示させても良い。
各通知画面における各表示領域や各スイッチのレイアウトは他の態様であっても良い。
【図面の簡単な説明】
【００４７】
【図１】本発明の一実施形態を示す機能ブロック図
【図２】フローチャート（その１）
【図３】フローチャート（その２）
【図４】着信中通知画面を示す図
【図５】ハンズフリー通話中通知画面を示す図
【図６】プライベート通話中通知画面を示す図
【図７】着信中／プライベート通話中通知画面を示す図
【図８】図５相当図
【符号の説明】
【００４８】
図面中、１は車載ハンズフリーシステム、２は車載ハンズフリー装置（ハンズフリー機能付き車載装置）、３ａ，３ｂは携帯電話機、４は制御部（制御手段）、５はＢＴインタフェース部（接続手段）、１０はマイクロホン（ハンズフリー機能付き車載装置側の音声入力手段）、１２，１３はスピーカ（ハンズフリー機能付き車載装置側の音声出力手段）、１８は通信網、２２ｄは応答スイッチ（応答操作手段）、２２ｅは応答拒否スイッチ（応答拒否操作手段）である。
【図１】
2010136075.tif 000003
【図２】
2010136075.tif 000004
【図３】
2010136075.tif 000005
【図４】
2010136075.tif 000006
【図５】
2010136075.tif 000007
【図６】
2010136075.tif 000008
【図７】
2010136075.tif 000009
【図８】
2010136075.tif 000010